(57)【要約】【目的】  加圧作用で支援して筆記可能とするボールペンリフィールを少なくとも一本搭載した便利な加圧式の複合筆記具を提供可能とする。【構成】  ボールペンリフィールを複数搭載して先軸先端からチップ先端部を交互に出没可能とする加圧式の複合筆記具に於いて、ボールペンリフィールが着脱可能に装着されるノック体の後端に、後端部を突出してスプリングを介して軸筒に対し前進可能な状態で係止されたノック棒とそのノック棒の前方に前端に前端が開口した伸縮可能なシール筒体が設けられ、ノック棒の前進によってインキ収容部の後端孔が外気と遮断されると共に、シール筒体が収縮してインキ収容部の後端孔に空気が押し込まれることによってインキの後端が加圧可能となるポンピング式の加圧機構が設けられて、インキのチップ側への流動性が支援されるように構成されたことを特徴とする加圧式の複合筆記具。【選択図】        図２
2005111764.tif 000002
【特許請求の範囲】
【請求項１】
先端にボールペンのチップと後方にインキ収容部を備え、インキ収容部に初期筆記でインキがとぎれやすいインキが充填されてなるボールペンリフィールと、そのボールペンリフィールを複数搭載して先軸先端からチップ先端部を交互に出没可能とする加圧式の複合筆記具に於いて、
ボールペンリフィールが着脱可能に装着されるノック体の後端に、後端部を突出してスプリングを介して軸筒に対し前進可能な状態で係止されたノック棒とそのノック棒の前方に前端に前端が開口した伸縮可能なシール筒体が設けられ、ノック棒の前進によってインキ収容部の後端孔が外気と遮断されると共に、シール筒体が収縮してインキ収容部の後端孔に空気が押し込まれることによってインキの後端が加圧可能となるポンピング式の加圧機構が設けられて、インキのチップ側への流動性が支援されるように構成されたことを特徴とする加圧式の複合筆記具。
【請求項２】
ノック棒が前進した状態にノック体に対して係止可能に構成されてなる請求項１に記載の加圧式の複合筆記具。
【発明の詳細な説明】
【技術分野】
【０００１】
本発明は、複数のボールペンリフィールを搭載して、それぞれの筆記先端部を選択的に軸先より突出可能とすると共に、ポンピング式の加圧操作によってインキのチップ側への流動性が支援されるように構成された加圧式の複合筆記具に関する。
【背景技術】
【０００２】
【特許文献１】特開平８−５２４０７
【特許文献２】特表平７−５０６８６２
【特許文献３】特開２００１−１５０８６５
【特許文献４】特開２００１−１７１２８６
【特許文献５】実開昭６３−９８７７６
【特許文献６】特開２０００−６２３８７  （特許文献１）  従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。  （特許文献２）  また、剪断減粘性を有するインキを使用して、攪拌しないですむものも知られているが、上向きで塗布したときにインキが逆流してインキ切れしやすい問題が存在する。  （特許文献３）  また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。しかしながら、このものは弁機構のバラツキ（弁の開閉に作用するスプリングのバラツキ、スリットを弾性的に開閉するゴム製弁体の寸法バラツキなど）で適正な加圧力が設定できないなどの問題がある。また、ボールペンの未使用時に於いて、加圧力が所定の設定値を越えた状態となっていた場合、不用意に筆記先端部に外力が懸かってインキが吹出るという問題がある。  （特許文献４）  また、ノック式筆記具に搭載されたものも知られている。  （特許文献５）  また、後端に加圧機構を設けて、ポンピング作用によってインキの流出を支援すると共に、インキの逆流が防止可能となるものが知られている。  （特許文献６）また、ボールペン筆記体の内、少なくとも一本を低粘度油性インキとした複数のボールペン筆記体を搭載して、それぞれのノック体をノックした時に係止突起がクリップ先端の係止段部に係止して筆記先端部を突出状態となり、その状態でクリップを胸ポケットに差した時に係止が解除されて筆記先端部が軸内に没入するように安全機構が設けられてなるノック式の複合筆記具が知られている。  尚、複合筆記具は、カム式、振り子式など引例に限らず知られている。
【発明の開示】
【発明が解決しようとする課題】
【０００３】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具を安価に提供可能とする。
【課題を解決するための手段】
【０００４】
本発明は、上記課題を達成するために以下の構成を有する。
請求項１に記載の発明に係る加圧式の複合筆記具は、先端にボールペンのチップと後方にインキ収容部を備え、インキ収容部に初期筆記でインキがとぎれやすいインキが充填されてなるボールペンリフィールと、そのボールペンリフィールを複数搭載して先軸先端からチップ先端部を交互に出没可能とする複合筆記具に於いて、ボールペンリフィールが着脱可能に装着されるノック体の後端に、後端部を突出してスプリングを介して軸筒に対し前進可能な状態で係止されたノック棒とそのノック棒の前方に前端に前端が開口した伸縮可能なシール筒体が設けられ、ノック棒の前進によってインキ収容部の後端孔が外気と遮断されると共に、シール筒体が収縮してインキ収容部の後端孔に空気が押し込まれることによってインキの後端が加圧可能となるポンピング式の加圧機構が設けられて、インキのチップ側への流動性が支援されるように構成されてなる。
【０００５】
請求項２に記載の発明に係る加圧式の複合筆記具は、請求項１に記載の加圧式の複合筆記具に於いて、ノック棒が前進した状態にノック体に対して係止可能に構成されてなる。
【発明の効果】
【０００６】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具が安価に提供可能となる。
【発明を実施するための最良の形態】
【０００７】
先ず、図１乃至図７は本発明の実施例を示している。また、２本のボールペンリフィール１ａ、１ｂを搭載した構造で示されている。
本発明の意図する加圧式の複合筆記具は、少なくとも一本がポンピング式の加圧作用を受けるインキが充填されたボールペンリフィールであることを特徴とするものである。
【０００８】
先ず、本発明の加圧式の複合筆記具に搭載されるボールペンリフィールに付いて説明する。尚、実施例のボールペンリフィール１ａと１ｂは同じ構成であり、例えば、基本的にはインキ色や描線巾などが異なるものである。
また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【０００９】
従って、ボールペンリフィールは、インキの仕様やインキ収容部の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキの乾燥防止や逆流防止のフォロアが必要となる。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。（加圧のためのシール部の劣化や加圧機構の摺動・作動不良の防止など）
【００１０】
図７に基づき、ボールペンリフィール１ａの構造について説明すると、先ずチップ１１はインキ流入可能なチャンネルを有した座に先端ボール１２が略当接した状態で、先端ボールが回転自在に抱持されるようカシメられている。
また、チップ１１の内孔部にスプリング１５が内挿され、チップの軸部１３の後端が適宜カシメられてスプリング１５の後端が抜出不能に設けられている。
また、スプリング１５の先方には直立状の棒軸部１６が形成され、この棒軸部の先端が先端ボール１２の後端に押圧状に当接する。尚、先端ボールはその押圧でチップ１１のボール抱持部の内縁に密接状態と成されている。
【００１１】
また、継ぎ手２の内孔部１０の後方にチップ１１の軸心と適宜偏心した弁室５が設けられ、この弁室の後部には導孔８に連通してテーパー状または球面状のボール受け座６が形成されている。また、弁室５の内壁の一側にはインキが流入可能な溝部７が形成されている。また、弁室内にはボール弁９が遊嵌されて、チップ１１を下向きにした状態でボール弁９がチップの軸部１３の後端に偏った状態に当接して、上記溝部７等を通じて導孔８から流入したインキがチップ内孔部に流入するように構成されている。
【００１２】
また、継ぎ手２の前軸部３の後方には後軸部４が延設されている。後軸部４の外周には筒状のインキ収容管１７が固着され、インキ収容管１７の内孔部が継ぎ手２の導孔８に導通している。また、インキ収容管１７内には耐乾燥性に優れた低粘度油性インキ１８が充填され、更にインキ１８の後端にインキの消耗と共にインキ面に接触して追随するグリース状のフォロア１９が配設されている。尚、上記インキ収容管１７は一例として透明のＰＰ樹脂成形品等が使用される。
【００１３】
（ボールペンリフィールのその他の形態）
複合筆記具に搭載されるボールペンリフィールは基本的にインキ収容部の径が細い。
更に粘度が高く、乾燥しにくいインキを使用する場合には、先端ボールをチップのボール抱持部の内縁に密接させる手段や、弁体やフォロアを用いたインキの逆流防止機構を必要としないこともある。また、インキの逆流防止機構を必要とする場合に於いても前記実施形態に限らない構造が可能である。
【００１４】
次に、ボールペンリフィールを収容する筆記具の軸筒構造について説明する。軸筒は、後軸２０の前端に雄螺子２２が設けられ、先軸２６の後端孔に雌螺子２７が設けられて、相互間が着脱自在に螺合して構成される。
また、雄螺子２２後端の後軸２０内孔前端に仕切り部２１が設けられており、その仕切り部２１にはボールペンリフィール１ａ，１ｂが挿通する孔と後述するリターンスプリング３８ａ，３８ｂの前端が当接する座部が設けられている。
また、後軸２０の後方軸側面にクリップ３４が形成され、そのクリップ３４が対面する軸側面には軸方向の窓部２５が穿設されている。
また、クリップ３４に対して直角方向となる後軸２０の軸側面両側にスリット２３ａ，２３ｂが穿設されている。また、クリップ３４の先端部には玉部３５が形成され、その玉部３５の前方側には鉤状に係止段部３６が設けられ、また、玉部３５の後端には適宜傾斜面を有した後端部３７が設けられている。
【００１５】
一方、ノック体２９ａ，２９ｂはボールペンリフィール１ａ，１ｂを着脱可能に嵌着する孔部を軸心部に有し、一側面にそれぞれ切り溝を設けて変異可能な弾性片３０ａ，３０ｂが設けられ、その弾性片の後部にガイド突部３１ａ，３１ｂが形成されている。また更に、ガイド突部３１ａ，３１ｂと直角方向となる側面に係止突起３３ａ，３３ｂが設けられている。
【００１６】
以上で、それぞれのボールペンリフィール１ａ，１ｂの後端部が上記ノック体２９ａ，２９ｂに嵌着されると共に、ボールペンリフィールを挿通してそれぞれリターンスプリング３８ａ，３８ｂが取り付けられた状態でノック体が後軸２０の後端から挿入され、ボールペンリフィール１ａ，１ｂを仕切り部２１に設けた孔に挿通させると共にリターンスプリングの前端が仕切り部２１に設けた座部に当接する。また、その際、ノック体２９ａ，２９ｂに設けたガイド突部３１ａ，３１ｂが後軸のスリット２３ａ，２３ｂに弾性変形によって嵌装しノック体２９ａ，２９ｂはそれぞれ後軸２０に取り付けられる。また、係止突起３３ａ，３３ｂが後軸の窓部２５に嵌挿される。
【００１７】
実施例のポンピング式の加圧機構は、ノック体の後方に設けられてなる。
また、ノック体２９ａ，２９ｂは同様であり、以下に図に基づき一方のノック体２９ｂについて説明する。
先ず、ノック作動によって軸筒に対し進退位置に係止可能となるノック体２９ｂの内孔部前方にボールペンリフィール１ｂが着脱自在に密嵌され、またノック体２９ｂの内孔部後方にポンピング式の加圧機構が設けられて、先軸先端からチップ先端部を突出させた状態で、ノック体２９ｂ後端に設けられたノック棒４０ｂを押圧することによってポンピング式の加圧機構を作動させて、加圧機構部の前端に密嵌されたインキ収容部の後端孔に空気が押し込まれてフォロアの後端が加圧されるように構成されている。
【００１８】
ノック体２９ｂ後方内孔にブッシュ４９ｂが固着され、ブッシュ４９ｂの内孔後端にボールペンリフィール１ｂの後端が密接状に装着される。また、ブッシュ４９ｂの後端には通気口５０ｂが設けられている。
また、ノック体２９ｂの後端部一側面には、後端側から前方に向かって所定長さのスリット部４４ｂが形成され、他側面に仕切り状の段部４７ｂを介して後方にスリット部４５ｂが、前方にスリット部４８ｂが形成されている。
【００１９】
ノック棒４０ｂは、後端に鍔部とその前方に軸部が形成され、軸部外周の略中間一側に突部４２ｂと他側に弾性変位可能な係止片４１ｂとその係止片４１ｂの前端に鉤状の係止部４３ｂが形成され、更に前方の軸部外周に後端を密嵌させたゴム等の弾性体あるいは伸縮自在な蛇腹状の軟質成形体よりなるシール筒体５２ｂが設けられている。
【００２０】
ノック棒４０ｂは、ノック体２９ｂの後端から挿入され、その前端側の軸心部とブッシュ４９ｂの後端との間にスプリング５１ｂが敷設されると共に、突部４２ｂが弾性的にスリット部４４ｂの後端４６ｂに係止され、スプリング５１ｂによってノック体２９ｂに対しノック棒４０ｂは常時後方に附勢されている。またそのとき、シール筒体５２ｂの前端とブッシュ４９ｂの後端との間には僅かな隙間が形成されて、ボールペンリフィール１ｂの後端孔は通気口５０ｂを通じて外気と連通されている。
【００２１】
ノック棒４０ｂが前進した直後においてシール筒体５２ｂの前端がブッシュ４９ｂの後端に密接することで外気と遮断され、ノック棒４０ｂの前進と共にシール筒体５２ｂが縮小されて内圧の上昇と共にボールペンリフィール１ｂの後端孔に空気が押し込まれてフォロアの後端が加圧される。
またそのとき、係止部４３ｂがノック体の段部４７ｂに係止して、ノック棒４０ｂの後退が阻止されて、加圧状態が維持される。（図６参照）
【００２２】
（加圧機構等のその他の形態）
また、ノック体２９ａ，２９ｂ双方に加圧機構を設けることも、一方のみに設ける場合もある。また、２本以上の複数のノック体が設けられた場合には、少なくとも一本のノック体に加圧機構が設けられている。
また、加圧機構が設けられたノック体の内孔部前方にボールペンリフィールが着脱自在に密嵌されるが、ノック体内孔部周面と、ボールペンリフィール外周部との間に相互間が固定されるための係止部と加圧状態が気密となるシール部が設けられる。
また、上述した実施例に於いては、ノック棒４０ｂに弾性変位可能な係止片４１ｂとその係止片４１ｂの前端に鉤状の係止部４３ｂを形成し、ノック体２９ｂの段部４７ｂに係止部４３ｂを係止して、シール筒体５２ｂが縮小された状態を維持するように構成しているが、ボールペンの筆記先端部を軸先から出没状態に係止するノック機構などよく知られた機構を利用することができる。
【００２３】
（作用）
先ず、図４はボールペンリフィール１ａ，１ｂの筆記先端部を先軸２６内に収納した状態を示している。この状態から一方のノック体の後端をノックした状態が図１乃至図３に示されている。ノック体２９ａをノックすると、図に示すようにボールペンリフィール１ａの係止突起３３ａがクリップの玉部３５の係止段部３６に係止してボールペンリフィール１ａの筆記先端部が先軸２６の先端口２８から突出される。（この状態で玉部３５の側面を押圧してクリップを横変形させると係止状態が解除されて筆記先端部が軸筒内に収容することができる）次に、他方のノック体２９ｂの後端をノックすると、係止突起３３ｂが玉部の後端部３７を適宜押し上げて係止突起３３ａと係止段部３６の係止が解除されてボールペンリフィール１ａが後退する。更に、ノック体２９ｂが前進すると係止突起３３ｂが係止段部３６に係止してボールペンリフィール１ｂの筆記先端部が先軸２６の先端口２８から突出する。
【００２４】
また、何れかのボールペンリフィールの筆記先端部を突出したままの状態で胸ポケット等に差した場合、服地でクリップ３４の玉部３５が押し上げられるので係止が解除され筆記先端部が先軸２６内に収納されて、インキで服を汚損する事故が回避される。尚、実施例では上記係止解除の使い勝手を良くする為にクリップ先端部を横変形して係止解除できるように設けているが、一方のボールペンリフィールの筆記先端部が突出状態で他方のノック体の後端をノックすれば入れ違いに突出状態のボールペンリフィールの筆記先端部が先端口内に収容されるので必ずしもクリップが横変形可能となる必然性はない。
【００２５】
次に、ポンピング式の加圧機構の作用を以下に説明する。
図５に示す状態からノック棒４０ｂの後端を押圧して前進させると、ノック棒４０ｂが前進した直後においてシール筒体５２ｂの前端がブッシュ４９ｂの後端に密接して外気と遮断され、更にノック棒４０ｂが前進することによってシール筒体５２ｂが縮小されて内圧の上昇と共にボールペンリフィール１ｂの後端孔に空気が押し込まれてフォロアの後端が加圧される。またそのとき、係止部４３ｂがノック体の段部４７ｂに係止して、ノック棒４０ｂの後退が阻止されて、加圧状態が維持される。（図６参照）
また、この状態から係止部４３ｂを内方に押圧して段部４７ｂとの係止を解除すると、ノック棒４０ｂが後退して図５の状態に戻り、シール筒体５２ｂ内が外気と連通する。
ところで、図５及び図６に示される状態はノック棒４０ｂをノック体２９ｂに前進状態に係止するときのスプリング５１ｂの強さよりノック体２９ｂを軸後方に附勢するリターンスプリング３８ｂの強さが強いことを示している。従って、図６の状態からノック棒４０ｂ後端を更に押圧することによってノック体２９ｂが前進することになる。
しかしながら、基本的には二種のスプリングの強さが逆であってもよい。即ち、ノック体２９ｂが後軸２０に対して前進状態に係止された後でノック棒４０ｂがノック体２９ｂに対して前進してもよい。また更に、ノック体２９ｂとノック棒４０ｂが一緒に前進を始めてもよい。通常、強い加圧力を期待したい場合には、ノック体２９ｂが後軸２０に対して前進状態に係止された後でノック棒４０ｂがノック体２９ｂに対して前進するように設けられる。（尚、ノック体２９ａ側についても同様に設定される。）
【００２６】
加圧操作は、落下衝撃やインキの流動性の悪さ等に起因して先端ボールの周面からインキが離れてしまい連続的なインキの流出がとぎれるのを防止する作用ととぎれた時に回復する作用となる。また、インキの特性などによって適正な加圧力が設定される。
その場合、シール筒体の最初の空間部の容積とノック棒が前進状態に係止されたときのシール筒体の縮小した時の空間部の容積を幾らにするか、シール部のリーク値などを勘案して設定することで可能となる。
【図面の簡単な説明】
【００２７】
【図１】本発明の一実施例である加圧式の複合筆記具の一部非断面の正面側縦断面図で、一本の筆記先端が突出した状態を示している。
【図２】加圧式の複合筆記具の一部非断面の上面側縦断面図を示している。
【図３】加圧式の複合筆記具の一部非断面の別の上面側縦断面図を示している。
【図４】加圧式の複合筆記具の一部非断面の縦断面図で、筆記先端が没入した状態を示している。
【図５】加圧機構を拡大して示した断面図で、加圧前の状態を示している。
【図６】加圧機構を拡大して示した断面図で、加圧後の状態を示している。
【図７】ボールペンリフィールの全体を示す縦断面図である。
【符号の説明】
【００２８】
１ａ        ボールペンリフィール
１ｂ        ボールペンリフィール
２          継ぎ手
３          前軸部
４          後軸部
５          弁室
６          ボール受け座
７          溝部
８          導孔
９          ボール弁
１０        内孔部
１１        チップ
１２        先端ボール
１３        軸部
１４        カシメ部
１５        スプリング
１６        棒軸部
１７        インキ収容管
１８        インキ
１９        フォロア
２０        後軸
２１        仕切り部
２２        雄螺子
２３ａ      スリット
２３ｂ      スリット
２４        スリット
２５        窓部
２６        先軸
２７        雌螺子
２８        先端口
２９ａ      ノック体
２９ｂ      ノック体
３０ａ      弾性片
３０ｂ      弾性片
３１ａ      ガイド突部
３１ｂ      ガイド突部
３２ｂ      切り溝
３３ａ      係止突起
３３ｂ      係止突起
３４        クリップ
３５        玉部
３６        係止段部
３７        後端部
３８ａ      リターンスプリング
３８ｂ      リターンスプリング
４０ａ      ノック棒
４０ｂ      ノック棒
４１ｂ      係止片
４２ｂ      突部  
４３ｂ      係止部
４４ｂ      スリット部
４５ｂ      スリット部
４６ｂ      後端
４７ｂ      段部
４８ｂ      スリット部
４９ｂ      ブッシュ
５０ｂ      通気口
５１ｂ      スプリング
５２ｂ      シール筒体
【図１】
2005111764.tif 000003
【図２】
2005111764.tif 000004
【図３】
2005111764.tif 000005
【図４】
2005111764.tif 000006
【図５】
2005111764.tif 000007
【図６】
2005111764.tif 000008
【図７】
2005111764.tif 000009